(57)【要約】【課題】内側吸収体に形成されたスリットから溢れ出した液を、内側吸収体で吸収して液の外部への漏洩と身体面側への逆戻りを防止したパッドについて提供する。【解決手段】吸収体を身体面側に位置する内側吸収体と、反身体面側に位置する外側吸収体で構成し、内側吸収体に幅方向に所定の間隔を有して前後方向に延在するスリットを設け、内側吸収体におけるスリットの両側部に前後方向に延在して身体面側に突起する側堰部を設け、内側吸収体におけるスリットの後側部に前後方向に延在して身体面側に突起する後堰部を設け、側堰部の後部と後堰部の前部を連結し、側面視において、後堰部の前部を前後方向に長径を有する第１楕円の弧曲線状に形成することにより解決される。【選択図】図９
2019063011.tif 000002
【特許請求の範囲】
【請求項１】
液透過性の表面シートと、液不透過性の裏面シートと、前記表面シートと裏面シートの間に設けられた吸収体を備えるパッドにおいて、
前記吸収体を身体面側に位置する内側吸収体と、反身体面側に位置する外側吸収体で構成し、
前記内側吸収体に幅方向に所定の間隔を有して前後方向に延在するスリットを設け、
前記内側吸収体におけるスリットの両側部に前後方向に延在して身体面側に突起する側堰部を設け、
前記内側吸収体におけるスリットの後側部に前後方向に延在して身体面側に突起する後堰部を設け、
前記側堰部の後部と後堰部の前部を連結し、
側面視において、前記後堰部の前部を前後方向に長径を有する第１楕円の弧曲線状に形成したことを特徴とするパッド。
【請求項２】
断面視において、前記後側部のスリットに対向する内側部を幅方向に長径を有する第２楕円の弧曲線状に形成した請求項１記載のパッド。
【請求項３】
液透過性の表面シートと、液不透過性の裏面シートと、前記表面シートと裏面シートの間に設けられた吸収体を備えるパッドにおいて、
前記吸収体を身体面側に位置する内側吸収体と、反身体面側に位置する外側吸収体で構成し、
前記内側吸収体に幅方向に所定の間隔を有して前後方向に延在するスリットを設け、
前記内側吸収体におけるスリットの前後方向の中間部から前後方向の後側に延在する後堰部を設け、
側面視において、前記後堰部の前部を前後方向に長径を有する第３楕円の弧曲線状に形成したことを特徴とするパッド。
【請求項４】
側面視において、前記後堰部の身体面側に最も突起する第１端部を、前記スリットの身体面側に最も位置する第２端部よりも身体面側に位置させた請求項３記載のパッド。
【請求項５】
前記外側吸収体の目付量を、前記内側吸収体の目付量よりも少なくした請求項１〜４のいずれか１項に記載のパッド。
【発明の詳細な説明】
【技術分野】
【０００１】
本発明は、使い捨ておむつに装着するパッドに関するものであり、吸収体に形成されたスリットの後側に後堰部を設けたパッドに関するものである。
【背景技術】
【０００２】
従来、吸収性物品の吸収体を装着者の身体面側に位置する内側吸収体と、反身体面側に位置する外側吸収体で構成して、内側吸収体に形成された前後方向に延在する尿等の液を通液させるスリットの後部と、外側吸収体に形成された前後方向に延在する尿等の液を通液させる凹部の前部を連通させる手段が提案されている。（特許文献１）
【０００３】
また、吸収性物品の吸収体を内側吸収体と外側吸収体で構成して、内側吸収体に形成された前後方向に延在する液を通液させるスリットに設けられた前後方向に所定の間隔を隔てた開口部と、外側吸収体に形成された前後方向に延在する尿等の液を通液させる凹部の前部を連通させる手段が提案されている。（特許文献２）
【先行技術文献】
【特許文献】
【０００４】
【特許文献１】特開２０１１−１２５５３７号公報
【特許文献２】特開２０１６−７４９５号公報
【発明の概要】
【発明が解決しようとする課題】
【０００５】
しかし、特許文献１，２の手段では、吸収性物品の液透過性の表面シートを介して多量の液が内側吸収体に形成されたスリットに移動した場合には、液がスリットから溢れ出し、溢れ出した液が外側吸収体に吸収されずに吸収性物品の幅方向の両側端部及び後端部に移動して両側端部及び後端部から外部に漏洩する恐れがあった。
【０００６】
そこで、本発明の課題は、吸収体に形成された前後方向に延在するスリットの後側に身体面側に突起する堰を設けて、スリットから溢れ出した液を、吸収体で吸収して液の外部への漏洩と身体面側への逆戻りを防止したパッドについて提供することにある。
【課題を解決するための手段】
【０００７】
上記課題を解決した手段は次記のとおりである。
第１手段は、液透過性の表面シートと、液不透過性の裏面シートと、前記表面シートと裏面シートの間に設けられた吸収体を備えるパッドにおいて、
前記吸収体を身体面側に位置する内側吸収体と、反身体面側に位置する外側吸収体で構成し、前記内側吸収体に幅方向に所定の間隔を有して前後方向に延在するスリットを設け、前記内側吸収体におけるスリットの両側部に前後方向に延在して身体面側に突起する側堰部を設け、前記内側吸収体におけるスリットの後側部に前後方向に延在して身体面側に突起する後堰部を設け、前記側堰部の後部と後堰部の前部を連結し、側面視において、前記後堰部の前部を前後方向に長径を有する第１楕円の弧曲線状に形成したことを特徴とする。
【０００８】
第２手段は、第１手段の構成において、断面視において、前記後側部のスリットに対向する内側部を幅方向に長径を有する第２楕円の弧曲線状に形成したことを特徴とする。
【０００９】
第３手段は、液透過性の表面シートと、液不透過性の裏面シートと、前記表面シートと裏面シートの間に設けられた吸収体を備えるパッドにおいて、
前記吸収体を身体面側に位置する内側吸収体と、反身体面側に位置する外側吸収体で構成し、前記内側吸収体に幅方向に所定の間隔を有して前後方向に延在するスリットを設け、前記内側吸収体におけるスリットの前後方向の中間部から前後方向の後側に延在する後堰部を設け、側面視において、前記後堰部の前部を前後方向に長径を有する第３楕円の弧曲線状に形成したことを特徴とする。
【００１０】
第４手段は、第３手段の構成において、側面視において、前記後堰部の身体面側に最も突起する第１端部を、前記スリットの身体面側に最も位置する第２端部よりも身体面側に位置させたことを特徴とする。
【００１１】
第５手段は、第１〜４のいずれか１項の手段の構成において、前記外側吸収体の目付量を、前記内側吸収体の目付量よりも少なくしたことを特徴とする。
【発明の効果】
【００１２】
第１手段によれば、吸収体を身体面側に位置する内側吸収体と、反身体面側に位置する外側吸収体で構成し、内側吸収体に幅方向に所定の間隔を有して前後方向に延在するスリットを設け、内側吸収体におけるスリットの両側部に前後方向に延在して身体面側に突起する側堰部を設け、内側吸収体におけるスリットの後側部に前後方向に延在して身体面側に突起する後堰部を設け、側堰部の後部と後堰部の前部を連結し、側面視において、後堰部の前部を前後方向に長径を有する第１楕円の弧曲線状に形成したので、スリットから溢れ出た液が後堰部に移動して後堰部に吸収されて、スリットから溢れ出した液がパッドの後部から漏洩したり、身体面側に逆戻りするのを防止することができる。
【００１３】
第２手段によれば、第１手段による効果に加えて、断面視において、後側部のスリットに対向する内側部を幅方向に長径を有する第２楕円の弧曲線状に形成したので、スリットから溢れ出た液が側堰部に移動して側堰部に吸収されて、スリットから溢れ出した液がパッドの両側部から外部に漏洩するのを防止することができる。
【００１４】
第３手段によれば、吸収体を身体面側に位置する内側吸収体と、反身体面側に位置する外側吸収体で構成し、内側吸収体に幅方向に所定の間隔を有して前後方向に延在するスリットを設け、内側吸収体におけるスリットの前後方向の中間部から前後方向の後側に延在する後堰部を設け、側面視において、後堰部の前部を前後方向に長径を有する第３楕円の弧曲線状に形成したので、スリットに移動した液が後堰部に移動して後堰部に吸収されて、スリットから溢れ出した液がパッドの後部から漏洩したり、身体面側に逆戻りするのを防止することができる。
【００１５】
第４手段によれば、第３手段による効果に加えて、側面視において、後堰部の身体面側に最も突起する第１端部を、スリットの身体面側に最も位置する第２端部よりも身体面側に位置させたので、装着者の体重が後堰部に加わった場合においても、スリットの形状が維持されて、スリット内の液を後堰部に効率良く移動させることができる。
【００１６】
第５手段によれば、第１〜４のいずれか１項に記載の手段による効果に加えて、外側吸収体の目付量を、内側吸収体の目付量よりも少なくしたので、内側吸収体のスリットを介して外側吸収体に移動した液を外側吸収体の全域に効率良く拡散させることができる。また、外側吸収体内に拡散して外側吸収体で吸収しきれない液を内側吸収体に移動させて内側吸収体で吸収することができる。
【図面の簡単な説明】
【００１７】
【図１】展開状態のパッドの平面図である。
【図２】要部のみを示す平面図である。
【図３】図１のＡ−Ａ断面図である。
【図４】図１のＢ−Ｂ断面図である。
【図５】表面シートの凸部の断面図である。
【図６】表面シートの凸部の平面図である。
【図７】外側吸収体の平面図である。
【図８】第１実施形態の内側吸収体の平面図である。
【図９】図８の（ａ）はＡ−Ａ断面図、（ｂ）はＢ−Ｂ断面図、（ｃ）はＣ−Ｃ断面図である。
【図１０】図８の（ａ）はＤ−Ｄ断面図、（ｂ）はＥ−Ｅ断面図、（ｃ）はＦ−Ｆ断面図である。
【図１１】第２実施形態の内側吸収体の平面図である。
【図１２】図１１の（ａ）はＡ−Ａ断面図、（ｂ）はＢ−Ｂ断面図、（ｃ）はＣ−Ｃ断面図である。
【図１３】図１１の（ａ）はＤ−Ｄ断面図、（ｂ）はＥ−Ｅ断面図、（ｃ）はＦ−Ｆ断面図である。
【図１４】第３実施形態の内側吸収体の内面を示す平面図である。
【図１５】図１４の（ａ）はＡ−Ａ断面図、（ｂ）はＢ−Ｂ断面図、（ｃ）はＣ−Ｃ断面図である。
【図１６】図１４の（ａ）はＤ−Ｄ断面図、（ｂ）はＥ−Ｅ断面図、（ｃ）はＦ−Ｆ断面図、（ｄ）はＧ−Ｇ断面図である。
【発明を実施するための形態】
【００１８】
＜第１実施形態のパッド＞
図１〜４に示すように、第１実施形態のパッドは、股間部１１と、股間部１１の前側に延在する前身部１０と、股間部１１の後側に延在する後身部１２から形成されている。各部の寸法は、適宜定めることができ、例えば、パッドの前後方向の長さを３５０〜７００ｍｍ、幅方向の幅を１３０〜４００ｍｍ、前身部１０の前後方向の長さを５０〜３５０ｍｍ、股間部１１の前後方向の長さを１０〜１５０ｍｍ、後身部１２の前後方向の長さを５０〜３５０ｍｍ、股間部１１の最狭幅を２００〜２６０ｍｍに形成することができる。
【００１９】
パッドは、液不透過性の裏面シート２１と、透液性の表面シート２２と、裏面シート２１と表面シート２２の間に配置された吸収体２３と、表面シート２２の幅方向の両側部に設けられた立体ギャザー２４で形成されている。
【００２０】
吸収体２３の外側には、裏面シート２１が吸収体２３の外周縁から若干はみ出すように設けられている。裏面シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。
【００２１】
裏面シート２１の外側には、不織布からなる外装シート２７が裏面シート２１の外周縁から若干はみ出すように設けられている。外装シート２７としては、各種の不織布を用いることができる。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。
【００２２】
吸収体２３の内側には、表面シート２２が設けられている。第１実施形態においては、表面シート２２の幅方向の幅は、吸収体２３の幅方向の幅よりも狭く形成されているが、表面シート２２の幅方向の幅を吸収体２３の幅方向の幅よりも広く形成することもできる。表面シート２２としては、有孔又は無孔の不織布や穴あきプラスチックシートなどが用いられる。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。
【００２３】
表面シート２２と吸収体２３の間には、中間シート２５が設けられている。中間シート２５としては、保水性が低く、かつ透液性の高い素材、例えば各種の不織布やメッシュフィルム等を用いることができる。
【００２４】
表面シート２２の幅方向の両側部には、立体ギャザー２４が設けられ、立体ギャザー２４は、外装シート２７の幅方向の側部に固定された固定部と、固定部から吸収体２３等の幅方向の側部を超えて表面シート２２の内面の側部まで延在する本体部から形成されている。また、本体部の前後方向の前後端部は、表面シート２２に固定され、本体部の前後方向の中央部は、表面シート２２に固定されず内側に向かって起立する。なお、図１に立体ギャザー２４の固定部を斜線で示している。
【００２５】
立体ギャザー２４は、２重のギャザーシート２４Ａと前後方向に延在する細長状の弾性部材２４Ｂから形成されている。ギャザーシート２４Ａの素材としては、プラスチックシートやメルトブローン不織布を使用することもできるが、肌への感触性の点で、不織布にシリコーンなどにより撥水処理を用いることができる。また、弾性部材２４Ｂとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。なお、図４に示すように、弾性部材２４Ｂは、その伸縮力によって立体ギャザー２４を内側に向かって起立させる。
【００２６】
パッドの前後方向の前後端部では、表面シート２２と外装シート２７が固定されてエンドフラップ部ＥＦを形成し、パッドの幅方向の両側端部では、ギャザーシート２４Ａと外装シート２７が固定されてサイドフラップ部ＳＦを形成している。なお、エンドフラップ部ＥＦとサイドフラップ部ＳＦには、吸収体２３は延在していない。
【００２７】
吸収体２３は、装着者の身体面側である内側に位置する内側吸収体２３Ａと、外側に位置する外側吸収体２３Ｂから形成されている。また、内側吸収体２３Ａと外側吸収体２３Ｂは、パルプ繊維の積繊体、セルロースアセテート等のフィラメントの集合体、あるいは不織布を基本とし、必要に応じて粒子状等の高吸収性ポリマー粒子を混合、固着等してなるものを用いることができる。また、内側吸収体２３Ａと外側吸収体２３Ｂは、高吸収性ポリマー粒子の脱落等を防止するために、クレープ紙等の包装シート２６により包むのが好ましい。
【００２８】
内側吸収体２３Ａは、前後方向に長辺を有する略長方形状に形成されている。内側吸収体２３Ａの前後方向の長さは、外側吸収体２３Ｂの前後方向の長さの６０〜９０％に形成され、内側吸収体２３Ａの幅方向の幅は、外側吸収体２３Ｂの幅方向の幅の６０〜９０％に形成されている。また、内側吸収体２３Ａの目付けは、外側吸収体２３Ｂの目付けよりも大きい３５０〜７００ｇ／ｍ2であるのが好ましい。これにより、外側吸収体２３Ｂ内に拡散して外側吸収体２３Ｂで吸収しきれない液を内側吸収体２３Ａに移動させて内側吸収体２３Ａで吸収することができる。
【００２９】
図５に示すように、表面シート２２における内側吸収体２３Ａの後述するスリット３２に対向する部位には、内側に突出する多数の凸部４５が前後方向と幅方向に所定の間隔を隔てて千鳥状に形成されている。
【００３０】
これにより、図６に示すように、表面シート２２上の排尿位置Ｚに排尿された尿は、前後方向又は幅方向に流れるよりも表面シート２２に突出する凸部４５と隣接する凸部４５の間を斜め方向に流れて、排尿位置Ｚに排尿された多くの尿は、排尿位置Ｚの両側部に形成されたスリット３２に流れ込むので、吸収可能量の低下を抑えつつ、股間部１１のフィット性に優れ、かつ逆戻り防止性にも優れたものとなる。
【００３１】
凸部４５は、エンボス加工を用いて表面シート２２を外側から内側に押出すことによって形成することができる。また、凸部４５の形状は、円形状、楕円形状、多角形状に形成することができる。
【００３２】
図７に示すように、外側吸収体２３Ｂは、パッドの前身部１０に位置する前側部４０と、パッドの股間部１１に位置する括れ部４１と、パッドの後身部１２に位置する後側部４２で形成されている。括れ部４１は、外側吸収体２３Ｂの前側部４０と後側部４２に位置する幅方向の両側部を略台形形状に切欠いて形成されている。
【００３３】
括れ部４１の最小幅は、前側部４０と後側部４２の幅の５０〜６５％に形成されている。また、外側吸収体２３Ｂの前端を０％とし外側吸収体２３Ｂの後端を１００％としたとき、括れ部４１の前端を１０〜２５％に配置し、括れ部４１の後端を４０〜６５％に配置し、括れ部４１の最小幅となる部位を２５〜３０％に配置されている。また、外側吸収体２３Ｂの目付けは、２５０〜４５０ｇ／ｍ2であることが好ましい。これにより、内側吸収体２３Ａのスリット３２を介して外側吸収体２３Ｂに移動した液を外側吸収体２３Ｂの全域に効率良く拡散させることができる。
【００３４】
図８〜１０に示すように、内側吸収体２３Ａは、パッドの前側部１０から股間部１１に対応する部位に延在する前側部３０と、股間部１１から後側部１２に対応する部位に延在する後側部３１から形成されている。後側部３１の厚みは、前側部３０の厚みに対して２００〜４００％に形成するのが好ましい。なお、前側部３０の厚みは、外側吸収体２３Ｂの厚みに対して１００〜１５０％に形成されている。これにより、前側部３０のスリット３２から溢れ出して幅方向に移動する液を側堰部３５で吸収し、前側部３０のスリット３２から溢れ出して前後方向の後側に移動する液を後堰部３６で吸収して、液の幅方向の両側部と前後方向の後部からの漏洩を防止することができる。
【００３５】
前側部３０の外側吸収体２３Ｂの括れ部４１に対向する部位には、幅方向の中心に対して対称な部位に、幅方向に所定の間隔を有して前後方向に長辺を有する略長方形状の一対のスリット３２が形成されている。また、後側部３１は、後側部３１における前側部３０のスリット３２の幅方向の両側の部位には、それぞれ前後方向に延在する側堰部３５が形成され、後側部３１における前側部３０のスリット３２の後側の部位には、後堰部３６が形成されている。
【００３６】
側面視において、後堰部３６の前部は、楕円の弧曲線状（請求項における第１楕円の弧曲線状）３７に形成されている。より詳細には、後堰部３６の前部は、前後方向の半径をａとし、前後方向に直交する上下方向の半径をｂとした場合に、以下の式１で定義される楕円の弧曲線状３７に沿って形成されている。なお、ｙは、前後方向の位置を示し、ｚは、上下方向の位置を示している。
ｙ2／ａ2  ＋  ｚ2／ｂ2  ＝  １  ・・・・式１
但し、ａ／ｂの算出値を２〜８に設定
これにより、スリット３２から溢れ出した液をスリット３２と後堰部３６の間で滞留させることなく、後堰部３６に移動させて、後堰部３６に吸収させることができる。なお、ａ／ｂの算出値が２未満であると、スリット３２から溢れ出した液がスリット３２と後堰部３６の間で滞留する恐れがあり、ａ／ｂの算出値が８超であると、後堰部３６の上端部が全て円弧状に形成され、後堰部３６の前後方向の長さが必要以上に長くなる恐れがある。
【００３７】
断面視において、側堰部３５のスリット３２に対向する側部は、幅方向に対して直交するように垂直に形成されている。
【００３８】
＜第２実施形態のパッド＞
次に、第２実施形態のパッドについて説明する。なお、第１実施形態のパッドと同一部材には、同一符号を付して説明を省略する。
【００３９】
図１１〜１３に示すように、内側吸収体２３Ａは、パッドの前側部１０から股間部１１に対応する部位に延在する前側部３０と、股間部１１から後側部１２に対応する部位に延在する後側部３１から形成されている。後側部３１は、後側部３１における前側部３０のスリット３２の幅方向の両側の部位には、それぞれ前後方向に延在する側堰部３５が形成され、後側部３１における前側部３０のスリット３２の後側の部位には、後堰部３６が形成されている。
【００４０】
側面視において、後堰部３６の前部は、楕円の弧曲線状３７に形成されている。より詳細には、後堰部３６の前部は、前後方向の半径をａとし、前後方向に直交する上下方向の半径をｂとした場合に、以下の式１で定義される楕円の弧曲線状３７に沿って形成されている。なお、ｙは、前後方向の位置を示し、ｚは、上下方向の位置を示している。
ｙ2／ａ2  ＋  ｚ2／ｂ2  ＝  １  ・・・・式１
但し、ａ／ｂの算出値を２〜８に設定
これにより、スリット３２から溢れ出した液をスリット３２と後堰部３６の間で滞留させることなく、後堰部３６に移動させて、後堰部３６に吸収させることができる。なお、ａ／ｂの算出値が２未満であると、スリット３２から溢れ出した液がスリット３２と後堰部３６の間で滞留する恐れがあり、ａ／ｂの算出値が８超であると、後堰部３６の上端部が全て円弧状に形成され、後堰部３６の前後方向の長さが必要以上に長くなる恐れがある。
【００４１】
断面視において、側堰部３５のスリット３２に対向する側部は、楕円の弧曲線状（請求項における第２楕円の弧曲線状）３８に形成されている。より詳細には、側堰部３５のスリット３２に対向する側部は、幅方向の半径をｃとし、幅方向に直交する上下方向の半径をｄとした場合に、以下の式２で定義される楕円の弧曲線状３８に沿って形成されている。なお、ｘは、幅方向の位置を示し、ｚは、上下方向の位置を示している。
ｘ2／ｃ2  ＋  ｚ2／ｄ2  ＝  １  ・・・・式２
但し、ｃ／ｄの算出値を２〜４に設定
これにより、スリット３２から溢れ出した液をスリット３２と側堰部３５の間で滞留させることなく、側堰部３５に移動させて、側堰部３５に吸収させることができる。なお、ｃ／ｄの算出値が２未満であると、スリット３２から溢れ出した液がスリット３２と側堰部３５の間で滞留する恐れがあり、ｃ／ｄの算出値が４超であると、側堰部３５の幅方向の長さが必要以上に長くなる恐れがある。
【００４２】
＜第３実施形態のパッド＞
次に、第３実施形態のパッドについて説明する。なお、第１実施形態のパッドと同一部材には、同一符号を付して説明を省略する。
【００４３】
図１４〜１６に示すように、内側吸収体２３Ａは、パッドの前側部１０から股間部１１に対応する部位に延在する前側部３０と、股間部１１から後側部１２に対応する部位に延在する後側部３１から形成されている。後側部３１は、前側部１０の前後方向の後端部から内側吸収体２３Ａの幅方向の全域に亘って前後方向の後側に延在して形成されている。また、平面視において、スリット３２は、前側部３０の前後方向の中間部から後側部３１の後堰部３６の前後方向の中間部まで前後方向に延在して形成されている。
【００４４】
側面視において、後堰部３６の前部は、楕円の弧曲線状（請求項における第３楕円の弧曲線状）３９に形成されている。より詳細には、後堰部３６の前部は、前後方向の半径をａとし、前後方向に直交する上下方向の半径をｂとした場合に、以下の式１で定義される楕円の弧曲線状３９に沿って形成されている。なお、ｙは、前後方向の位置を示し、ｚは、上下方向の位置を示している。
ｙ2／ａ2  ＋  ｚ2／ｂ2  ＝  １  ・・・・式１
但し、ａ／ｂの算出値を２〜８に設定
これにより、スリット３２から溢れ出した液をスリット３２と後堰部３６の間で滞留させることなく、後堰部３６に移動させて、後堰部３６に吸収させることができる。なお、ａ／ｂの算出値が２未満であると、スリット３２から溢れ出した液が後堰部３６の前側に滞留する恐れがあり、ａ／ｂの算出値が８超であると、後堰部３６の上端部が全て円弧状に形成され、後堰部３６の前後方向の長さが必要以上に長くなる恐れがある。
【００４５】
また、式１のａ／ｂの算出値を５〜８に設定するのが好ましい。これにより、後堰部３６の上端部（請求項における第１端部）３６Ａがスリット３２の上端部（請求項における第２端部）３２Ａよりも上側（内側）に位置するので、装着者が仰向け姿勢になった場合に、装着者の体重が後堰部３６に加わった場合においても、前後方向に延在するスリット３２の形状が維持でき、表面シート２２からスリット３２に移動した液を効率良く後堰部３６に移動させることができる。
【産業上の利用可能性】
【００４６】
本発明は、吸収性物品に利用できるものである。
【符号の説明】
【００４７】
２１      裏面シート
２２      表面シート
２３      吸収体
２３Ａ    内側吸収体
２３Ｂ    外側吸収体
３２      スリット
３２Ａ    上端部（第２端部）
３５      側堰部
３６      後堰部
３６Ａ    上端部（第１端部）
３７      楕円の弧曲線状（第１楕円の弧曲線状）
３８      楕円の弧曲線状（第２楕円の弧曲線状）
３９      楕円の弧曲線状（第３楕円の弧曲線状）
【図１】
2019063011.tif 000003
【図２】
2019063011.tif 000004
【図３】
2019063011.tif 000005
【図４】
2019063011.tif 000006
【図５】
2019063011.tif 000007
【図６】
2019063011.tif 000008
【図７】
2019063011.tif 000009
【図８】
2019063011.tif 000010
【図９】
2019063011.tif 000011
【図１０】
2019063011.tif 000012
【図１１】
2019063011.tif 000013
【図１２】
2019063011.tif 000014
【図１３】
2019063011.tif 000015
【図１４】
2019063011.tif 000016
【図１５】
2019063011.tif 000017
【図１６】
2019063011.tif 000018